【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
レンズ本体と、
近位端および遠位端を備えた支持部ベースであって、該支持部ベースの該近位端は第１の垂直に柔軟な連結部によって該レンズ本体に接続され、該第１の連結部は該レンズ本体に対して垂直に曲がる、支持部ベースと、
支持部テールであって、該支持部テールは、水平に柔軟な部材によって該支持部テールに接続された支持部フットプレートを備え、該水平に柔軟な部材は該レンズ本体に対して水平に曲がり、該支持部ベースの該遠位端は第２の垂直に柔軟な連結部によって該支持部テールに接続され、該第２の連結部は該レンズ本体に対して垂直に曲がる、支持部テールと
を備えている、眼内レンズ。
【請求項２】
前記レンズ本体、前記第１の連結部、前記支持部ベース、前記第２の連結部および前記支持部テールは、Ｓ曲線を形成する、請求項１に記載の眼内レンズ。
【請求項３】
前記レンズ本体および前記支持部ベースフォームは前記第１の連結部で会い、鋭角の隅角を形成し、該支持部ベースおよび前記支持部テールは前記第２の連結部で会い、鋭角の隅角を形成する、請求項１に記載の眼内レンズ。
【請求項４】
前記第１の連結部における前記隅角および前記第２の連結部における前記隅角は、レシピエントの目への前記眼内レンズの移植時に減少する、請求項３に記載の眼内レンズ。
【請求項５】
前記第１の連結部における前記隅角および前記第２の連結部における前記隅角は、前記眼内レンズがレシピエントの目に適合した後に増加する、請求項４に記載の眼内レンズ。
【請求項６】
前記第１の連結部における前記隅角および前記第２の連結部における前記隅角は、移植後１〜６時間で安定する、請求項５に記載の眼内レンズ。
【請求項７】
レシピエントの目への前記眼内レンズの移植時に、前記第１および第２の垂直に柔軟な連結部が垂直に移動しながら前記支持部フットプレートは水平に動き、それによって該レンズ本体の垂直の跳びを最小限にする、請求項１に記載の眼内レンズ。
【請求項８】
前記支持部フットプレートは前記柔軟な部材の幅より大きい幅を備えている、請求項１に記載の眼内レンズ。
【請求項９】
前記レンズ本体は光学部をさらに備えている、請求項１に記載の眼内レンズ。
【請求項１０】
前記光学部は屈折光学部である、請求項９に記載のレンズ。
【請求項１１】
前記光学部は回折光学部である、請求項９に記載のレンズ。
【請求項１２】
前記回折光学部は、ゾーン境界を規定する複数のゾーンを有するマルチオーダーの回折構造であり、該ゾーン境界において、該構造に入射する光は光学的位相のずれを受け、その焦点に対する、ｍ≧１の異なる回折のオーダーｍで各々の波長の光を回折し、それによって複数のオーダーの回折シングレットを提供する、請求項１１に記載のレンズ。
【請求項１３】
前記光学部は、屈折コンポーネントおよび回折コンポーネントを備えている、請求項９に記載のレンズ。
【請求項１４】
レンズ本体と、
近位端および遠位端を備えた支持部ベースであって、該支持部ベースの該近位端は第１の垂直に柔軟な連結部によって該レンズ本体に接続され、第１の隅角を形成する、支持部ベースと、
支持部テールであって、該支持部テールは、水平に柔軟な部材によって該支持部テールに接続された支持部フットプレートを備え、該支持部ベースの該遠位端は第２の垂直に柔軟な連結部によって該支持部テールに接続され、第２の隅角を形成し、
該第１の隅角および該第２の隅角の大きさは、レシピエントの眼への眼内レンズの移植時に減少し、それによって該レンズ本体の垂直の跳びを最小限にするかまたは除く、支持部テールと
を備えている、眼内レンズ。
【請求項１５】
近位端および遠位端を有する連結部と、
該連結部の該近位端に柔軟に接続された支持部ベースと、
水平に柔軟な部材によって該連結部の該遠位端に接続された支持部フットプレートであって、該連結部は、該支持部フットプレートまたは該支持部ベースのいずれかより広い、支持部フットプレートと
を備えている、眼内レンズ支持部。
【請求項１６】
支持部と、
第１の平面におけるレンズ本体であって、該レンズ本体は前面および後面を備えている、レンズ本体と、
第２の平面における光学部であって、該光学部は前面および後面を備え、該第１の平面は該第２の平面と異なり、該レンズ本体の該前面または該光学部の該前面のいずれかは、虹彩に相対的により近いが、両方とも近いわけではない、光学部と
を備えている、眼内レンズ。
【請求項１７】
レンズ本体内に配置された光学部であって、該レンズ本体は実質的に平面である、光学部と、
該レンズ本体から第１の支持部テールへ延びる第１の支持部ベースであって、該レンズ本体、該第１の支持部ベースおよび該第１の支持部テールは、第１の湾曲領域を有する第１のＳ曲線を形成する、第１の支持部ベースと、
該レンズ本体から第２の支持部テールへ延びる第２の支持部ベースであって、該レンズ本体、該第２の支持部ベースおよび該第２の支持部テールは、第２の湾曲領域を有する第２のＳ曲線を形成する、第２の支持部ベースと、
該レンズ本体に実質的に平行な平面において該第１の支持部テールから延びる第１の支持部フットプレートと該レンズ本体に実質的に平行な平面において該第２の支持部テールから延びる第２の支持部フットプレートとを備え、
該第１の湾曲領域と該第２の湾曲領域との間の距離は、レシピエントの眼への眼内矯正レンズの移植時に減少する、眼内矯正レンズ。
【請求項１８】
レンズ本体内に配置された直径を有する光学部であって、該レンズ本体は該光学部の直径にほぼ等しい幅を有する光学部と、
該レンズ本体から鋭角に延び、近位端および遠位端を備えている少なくとも１つの支持部ベースであって、該支持部ベースの近位端は該レンズ本体の幅にほぼ等しい幅を有する、少なくとも１つの支持部ベースと、
該支持部ベースから鋭角に延びる少なくとも２つのフットプレートを備えている支持部テールであって、該フットプレートは、該支持部ベースから外に６５度未満の隅角で延び、該フットプレートは該レンズ本体に対して実質的に平行な平面において延びる、支持部テールと
を備えている、眼内矯正レンズ。
【請求項１９】
前記光学部の前記直径は７ｍｍ未満である、請求項１８に記載のレンズ。
【請求項２０】
前記支持部ベースの前記遠位端の前記幅は前記光学部の前記直径の半分より小さい、請求項１９に記載のレンズ。
【請求項２１】
前記少なくとも１つの支持部ベースは、前記レンズ本体から４５度未満で延びる、請求項１８に記載のレンズ。
【請求項２２】
前記少なくとも１つの支持部ベースは、前記レンズ本体から３０度未満で延びる、請求項２１に記載のレンズ。
【請求項２３】
前記光学部は屈折光学部である、請求項１８に記載のレンズ。
【請求項２４】
前記光学部は回折光学部である、請求項１８に記載のレンズ。
【請求項２５】
前記回折光学部は、ゾーン境界を規定する複数のゾーンを有するマルチオーダーの回折構造であり、該ゾーン境界において該構造に入射する光が光学的位相のずれを受け、その焦点に対する、ｍ≧１の異なる回折のオーダーｍで各々の波長の光を回折し、それによって複数のオーダーの回折シングレットを提供する、請求項２４に記載のレンズ。
【請求項２６】
前記光学部は、屈折コンポーネントおよび回折コンポーネントを備えている、請求項１８に記載のレンズ。
【請求項２７】
支持部ベースと、
該支持部ベースに対して近位端および遠位端を備えている支持部フットプレートであって、該フットプレートは、該支持部ベースから６５度未満の隅角で延び、該フットプレートの該近位端は該フットプレートの該遠位端の幅のほぼ半分である幅を有する、支持部フットプレートと
を備えている、支持部テール。
【請求項２８】
前記支持部ベースは前記支持部フットプレートから上昇曲線で延びる、請求項２７に記載の支持部テール。
【請求項２９】
前記支持部ベースは前記支持部テールから４５度未満で延びる、請求項２８に記載の支持部テール。
【請求項３０】
前記支持部ベースは前記支持部テールから３０度未満で延びる、請求項２９に記載の支持部テール。
【請求項３１】
垂直光軸を規定する光学部と、
該光学部に接続した近位部分を有し、該光軸から外に遷移部分を通って遠位端部分の中に延びる支持部ベースであって、該遷移部分は、該近位部分から垂直に下方に２つのほぼ反対の隅角の湾曲を通って該遠位部分の中に延び、該遠位部分から該近位部分を上げるように働く、支持部ベースと、
該支持部本体の該遠位部分に接続した近位部分を有し、ほぼ水平に外に一対の支持部フットプレートの中に延びる支持部テールと
を備えている、眼内レンズ（ＩＯＬ）。
【請求項３２】
前記支持部ベースは薄膜を備えている、請求項３１に記載の眼内レンズ。
【請求項３３】
前眼房眼内レンズであって、
レンズ本体内に配置された光学部とスロープを有する下降する弓形で該レンズ本体から支持部テールに延びる支持部ベースとを備えている眼内レンズであって、該支持部テールは該支持部ベースから延びる支持部フットプレートを備え、該支持部ベースの該弓形の該スロープは、レシピエントの眼への該眼内矯正レンズの移植時に増加する、眼内レンズ
を備えている、前眼房眼内レンズ。
【請求項３４】
周辺虹彩切除は行なわれない、請求項３３に記載の前眼房眼内レンズ。